(57)【要約】【課題】ごみの分別収集に適したコンパクトなごみ箱を提供する。【解決手段】ごみ箱を、上下に並列する収納部屋１１を有するごみ箱本体１０と、各収納部屋１１の開口下縁に上下に揺動可能に支持される蓋２０と、蓋２０の上端に下端を中心に上下に揺動可能にそれぞれ支持され、ゴミ袋の投入口を開いた状態で保持するフレーム３０およびホルダ５０と、フレーム３０上端を収納部屋１１の天井に摺動可能に当接させるばね４０と、を備える構成とする。各蓋２０を開く向きに揺動させると、これに連動してフレーム３０が収納部屋１１の天井に摺動しつつ正面方向に引き出されてゴミ袋の投入口が現れる。収納部屋１１に直接ゴミ袋をセットする形式のため、全体のコンパクト化が図られる。ばね４０に代えて、フレーム３０の上端左右にガイドピンを設け、これを収納部屋の左右上部に設けたガイドレールにより摺動可能に支持しても、同様の機能および効果が得られる。【選択図】図２
2011073861.tif 000002
【特許請求の範囲】
【請求項１】
内部がゴミ袋Ｂを収める一または複数の収納部屋１１を有し、各収納部屋１１が正面側に開口するごみ箱本体１０と、
前記ごみ箱本体１０の開口下縁に支持された下端を中心に上下方向に揺動可能であり、その揺動操作により開口を閉塞および開放する蓋２０と、
前記蓋２０の上端に支持された下端を中心に上下方向に揺動可能であり、収納部屋１１に収められたゴミ袋Ｂの投入口を開いた状態で当接させるフレーム３０と、
前記ゴミ袋Ｂの投入口を前記フレームに固定するホルダ５０と、
前記フレーム３０を前記蓋２０から離れる向きに付勢することで、フレーム３０上端を前記ごみ箱本体１０の収納部屋１１の天井に摺動可能に当接させるばね４０と、を備えるごみ箱。
【請求項２】
内部がゴミ袋Ｂを収める一または複数の収納部屋１１を有し、各収納部屋１１が正面側に開口するごみ箱本体１０と、
前記ごみ箱本体１０の開口下縁に支持された下端を中心に上下方向に揺動可能であり、その揺動操作により開口を閉塞および開放する蓋２０と、
上端の左右にガイドピン３５を有し、前記蓋２０の上端に支持された下端を中心に上下方向に揺動可能であり、収納部屋１１に収められたゴミ袋Ｂの投入口を開いた状態で当接させるフレーム３０と、
前記ゴミ袋Ｂの投入口を前記フレームに固定するホルダ５０と、
前記収納部屋１１の左右上部で前記フレーム３０の上端にあるガイドピン３５を摺動可能に支持するガイドレール１５と、を備えるごみ箱。
【発明の詳細な説明】
【技術分野】
【０００１】
この発明は、ごみを分別収集するのに好適なごみ箱に関する。
【背景技術】
【０００２】
各地方自治体におけるごみの分別収集が常態化している昨今の状況に対応して、ごみ箱自体を分別収集に適した構造とする試みがなされている。
たとえば、図１１に示すように、正面が開口するごみ箱本体１０に、並列する複数の分別箱６０を収めたごみ箱２がある。この分別箱６０は、その下端部を中心に揺動自在にごみ箱本体１０に収められており、揺動操作によりごみ箱本体１０の開口から引き出し可能となっている（特許文献１参照）。
ここで、ゴミ袋（ごみ収集用ポリ袋）をセットした各分別箱６０に投入するごみの種類を、地域の分別指示に対応させてあらかじめ決めておくと、ごみ箱２にごみを投入した時点で自動的に分別が行われるため、便利である。
【０００３】
しかし、この種のごみ箱２は、ごみ箱本体１０と分別箱６０の二重構造になっているため、分別箱６０内のごみ収納スペースを十分に取ろうとすると、全体的に大型化してしまう。
また、分別箱６０の上縁部がその揺動時にごみ箱本体１０の天井に衝突しないように、図示のごとく、ごみ箱本体１０の高さを分別箱６０よりも十分に高くする必要がある。したがって、この観点からも大型化が避けられず、ごみの密閉性にも課題が残る。
【先行技術文献】
【特許文献】
【０００４】
【特許文献１】特開２００５−２６３４８４号公報
【発明の概要】
【発明が解決しようとする課題】
【０００５】
そこで、この発明の解決すべき課題は、ごみの分別収集に適したコンパクトなごみ箱を提供することである。
【課題を解決するための手段】
【０００６】
上記した課題を解決するため、発明にかかるごみ箱は、
内部にゴミ袋を収める一または複数の収納部屋を有し、各収納部屋が正面側に開口するごみ箱本体と、
前記ごみ箱本体の開口下縁に支持された下端を中心に上下方向に揺動可能であり、その揺動操作により開口を閉塞および開放する蓋と、
前記蓋の上端に支持された下端を中心に上下方向に揺動可能であり、収納部屋に収められたゴミ袋の投入口を開いた状態で当接させるフレームと、
前記ゴミ袋の投入口を前記フレームに固定するホルダと、
前記フレームを前記蓋から離れる向きに付勢することで、フレーム上端を前記ごみ箱本体の収納部屋の天井に摺動可能に当接させるばねと、を備える構成にしたのである。
【０００７】
または、上記した課題を解決するため、発明にかかるごみ箱は、
内部がゴミ袋を収める一または複数の収納部屋を有し、各収納部屋が正面側に開口するごみ箱本体と、
前記ごみ箱本体の開口下縁に支持された下端を中心に上下方向に揺動可能であり、その揺動操作により開口を閉塞および開放する蓋と、
上端の左右にガイドピンを有し、前記蓋の上端に支持された下端を中心に上下方向に揺動可能であり、収納部屋に収められたゴミ袋の投入口を開いた状態で当接させるフレームと、
前記ゴミ箱の投入口を前記フレームに固定するホルダと、
前記収納部屋の左右上部で前記フレームの上端に有るガイドピンを摺動可能に支持するガイドレールと、を備える構成にしたのである。
【０００８】
このごみ箱の蓋を開く向きに揺動させると、これに連動してフレームが収納部屋の天井またはガイドレールに沿って摺動しながら正面方向に引き出され、そのフレームに開いた状態に保持されたゴミ袋の投入口が現れるため、ごみを袋に投入することができる。
ここから蓋を閉じる向きに揺動させると、これに連動してフレームは収納部屋の天井またはガイドレールに沿って摺動しながら背面方向に押し込まれ、フレームに保持されたゴミ袋は収納部屋内に収まる。このように、簡単な操作でごみを捨てることができ、収納部屋が複数有る場合にはごみの分別が可能となる。
【０００９】
また、従来のような、ごみ箱本体とゴミ袋をセットする分別箱の二重構造ではなく、ごみ箱本体の収納部屋に直接ゴミ袋をセットするため、分別箱が不要となる分だけ全体のコンパクト化が図られる。
【発明の効果】
【００１０】
発明にかかるごみ箱を以上のように構成したので、コンパクトでかつ分別収集に適したものとできる。
【図面の簡単な説明】
【００１１】
【図１】第1実施形態のごみ箱の蓋を閉じた状態を示す全体斜視図
【図２】第1実施形態のごみ箱の蓋を開いた状態を示す全体斜視図
【図３】第1実施形態のごみ箱のホルダを開いた状態を示す部分斜視図
【図４】第1実施形態のごみ箱の蓋を開いた状態を示す縦断面図
【図５】第1実施形態のごみ箱の蓋のフックを外した状態を示す縦断面図
【図６】第1実施形態の要部拡大縦断面図
【図７】第1実施形態のごみ箱のゴミ袋を装着状態を示す縦断面図
【図８】第2実施形態のごみ箱の蓋を開いた状態を示す斜視図
【図９】第2実施形態のごみ箱の蓋を開いた状態を示す縦断面図
【図１０】第2実施形態のごみ箱の蓋を開いた状態を示す要部平面図
【図１１】従来のごみ箱の斜視図
【発明を実施するための形態】
【００１２】
以下、図面を参照しつつ、この発明の実施形態について説明する。
図１から図７に示す第1実施形態のごみ箱１は、ゴミ袋Ｂを収納するごみ箱本体１０と、ごみ箱本体１０を開閉する蓋２０と、ゴミ袋Ｂの投入口を固定するフレーム３０およびホルダ５０と、フレーム３０を一方向に付勢するばね４０と、を備える。
【００１３】
略直方体形のごみ箱本体１０は、天板、底板、左右側板、背板を有し、その内部空間は、仕切り板により上下に並列する複数の収納部屋１１に区画され、各収納部屋１１は正面方向に開口している。これら収納部屋１１には、汎用されているゴミ袋Ｂを収納できるようになっている。
【００１４】
さらに、ごみ箱本体１０の開口には、略方環形の箱枠１２が固定されている。箱枠１２は、ごみ箱本体１０の天板および底板にそれぞれ対応する上下枠と、左右側板にそれぞれ対応する左右枠と、各仕切り板にそれぞれ対応する中枠と、を有する。
この上枠および中枠の背面には、図６のように下向きのフック１３が左右に連続して形成されており、左右枠の下枠および中枠よりもやや上側には、軸受部１４が形成されている。
【００１５】
一方略方形の蓋２０は、ごみ箱本体１０の収納部屋１１の各開口に対応して上下に並列している。各蓋２０は、その下端部が箱枠１２の軸受部１４にそれぞれ軸受されることで、この下端部を中心に上下方向に揺動可能となっている。これにより、蓋２０を揺動操作すると、各収納部屋１１の開口を個別に閉塞および開放できるようになっている。
【００１６】
蓋２０は、その周縁部を除いて正面側に曲面形に膨出し、その正面の上縁部には、揺動操作の際につまむタブ２１が形成されている。
また、蓋２０の左右側には外向きのフランジ２２が形成され、蓋２０が収納部屋の開口を閉塞した際に、このフランジ２２が箱枠１２の左右枠に当接してストッパの役割を果たし、蓋２０が収納部屋１１の中に入り込まないようになっている。
【００１７】
蓋２０の背面の上縁左右には、それぞれ軸受部２３が形成されており、両軸受部２３の間には、チャンネル型のケーシング２４が固定されている。図６（ｂ）のように、このケーシング２４内にはスライダ２５が上下方向にスライド可能にかつ抜け止めされた状態で収納され、さらにコイルスプリング２６により上方向に付勢されている。
したがって、図示のように、蓋２０で収納部屋の開口を閉塞した際には、このスライダ２５が箱枠１２のフック１３に係合してその閉塞状態がロックできるようになっている。
【００１８】
また略方環形のフレーム３０は、その下端部が蓋２０の軸受部２３にそれぞれ軸受され、この下端部を中心に上下方向に揺動可能となっている。
フレーム３０の内径縁には、正面方向に突出する方環形のリング３１が形成されており、このリング３１からフレーム３０の上端中央部にかけては切り欠かれて切り欠き部３２を構成している。
箱本体１０の収納部屋に収納されたゴミ袋Ｂは、図７のように、投入口が開いた状態でフレーム３０の正面に当接するように装着されている。
【００１９】
また、フレーム３０の上端には、左右に連続しかつ正面方向に突出するフック３３が形成されている。
ここで、図６（ａ）のように蓋２０の軸受部２３には、フレーム３０を蓋２０から離れる向きに付勢するばね４０（トーションスプリング）が装填されており、これによりフレーム３０のフック３３を含む上端部は押し上げられて、箱本体１０の収納部屋１１の天井に当接している。
なお、図３のように、フレーム３０の正面には周方向に並列する複数の凹部３４が形成されている。
【００２０】
つぎに略方環形のホルダ５０は、その下端部がフレーム３０と同様に蓋２０の軸受部２３にそれぞれ軸受され、この下端部を中心に上下方向に揺動可能となっている。
このホルダ５０の左右側には、背面方向に突出するフック５１が形成されており、図３のようにその背面には、丸みを帯びた複数のピン５２が周方向に並列して形成されている。
ここで、ホルダ５０をフレーム３０に接近させると、そのフック５１がフレーム３０の左右縁に係合することで、図７のように、ホルダ５０はゴミ袋Ｂの投入口を挟みこんだ状態でフレーム３０に固定されるようになっている。
【００２１】
この状態において、フレーム３０のリング３１はホルダ５０の内径にはまり込み、かつホルダ５０のピン５２はフレーム３０の凹部３４にはまりこむため、ゴミ袋Ｂの投入口部分は、これらの嵌合構造によりずれ動かないようにしっかりと保持されるようになっている。
【００２２】
第1実施形態のごみ箱１の構成は以上のようであり、次にその作用を説明する。
蓋２０を閉塞した状態から開く向きに揺動させると、図２および図４のように、フレーム３０は、これに連動してそのフック３３が収納部屋１１の天井を摺動しながら正面方向に引き出される。
したがって、フレーム３０に固定されたゴミ袋Ｂの投入口が手前に現れ、ごみを投入できるようになっている。ここで、各収納部屋１１を、その地域の分別指示に従った種類に割り振っておけば、自動的にごみを分別できる。
【００２３】
また、一定程度フレーム３０が引き出されると、図４のようにそのフック３３が箱枠１２のフック１３に係合するため、フレーム３０は通常の仕様状態では収納部屋１１から抜け出さないようになっている。
【００２４】
一方、蓋２０を閉じる向きに揺動させると、図７のように、フレーム３０はこれに連動してそのフック３３が収納部屋１１の上面を摺動しながら背面方向に押し戻され、元通りに収納部屋１１の中に収まるようになっている。このように、簡単な操作でごみを捨てることができ、非常に利便性が高い。
【００２５】
ゴミ袋Ｂを取り外す際には、まず図３および図４の鎖線でしめすように、ホルダ５０のフック５１のフレーム３０への係合を解除して、ホルダ５０をフレーム３０から離れる向きに揺動させ、ゴミ袋Ｂの投入口の挟み込みを解除する。
次に、フレーム３０をばね４０の付勢に抗して押し下げて、そのフック３３の箱枠１２のフック１３への係合を解除し、さらに図５のようにフレーム３０を揺動させて手前へと引き出す。
この状態でゴミ袋Ｂの投入口をフレーム３０の切り欠き部３２を通し、ゴミ袋Ｂをフレーム３０から取り外す。この切り欠き部３２があるために、ゴミ袋Ｂを取り外す際にフレーム３０の環をくぐらせる必要がなく、作業性がよい。
ちなみに、ゴミ袋Ｂを取り付ける際には、上記したのと逆の動作、すなわちフレーム３０へのゴミ袋Ｂのセット、ホルダ５０のフレーム３０への係合、フレーム３０の押し下げおよび収納部屋１１への押し込み、を順次行えばよいことはいうまでもない。
【００２６】
このごみ箱１は、ごみ箱本体１０の収納部屋１１に直接ゴミ袋Ｂをセットする方式のため、全体をコンパクトな大きさとすることができる。また、ゴミ袋Ｂをごみ箱１の中に密閉できるため、衛生的でもある。
【００２７】
図８から図１０に示す、第２実施形態のごみ箱１では、フレーム３０の上端部の左右にそれぞれ円柱形のガイドピン３５を設け、収納部屋１１の左右上部のそれぞれに正面背面方向に延びるガイドレール１５を設けている。
そして、ばね４０を用いることなく、このガイドレール１５にフレーム３０上端のガイドピン３５を差し込んで摺動可能に支持している点が、第１実施形態と構成が異なっている。
その他の構成については、後述する細部を除いて第１実施形態と同様であるから説明を省略する。
【００２８】
この場合も、蓋２０を開く向きに揺動させると、フレーム３０はこれに連動して収納部屋１１のガイドレール１５に沿って摺動しながら正面方向に引き出される。
逆に、蓋２０を閉じる向きに揺動させると、フレーム３０はこれに連動して収納部屋１１のガイドレール１５に沿って摺動しながら背面方向に押し戻され収納部屋１１内に収まる。このようにして、上述した第１実施形態と同様の作用効果が得られる。
【００２９】
図示のように、この実施形態では箱枠１２の左右枠のガイドレール１５と対応する位置には、それぞれ楔形の差込口１６が設けられており、フレーム３０のガイドピン３５をガイドレール１５に取り付ける際には、ここから差し込むようになっている。
収納部屋の奥に向かうにつれて左右の幅が小さくなる楔形の差込口１６は、逆止爪様の作用を奏するため、いったん差し込んだガイドピン３５は通常の使用状態では差込口１６から抜け出さず、フレーム３０の全体が収納部屋１１から外へと引き出されないようになっている。
【００３０】
一方、フレーム３０の切り欠き部３２の左右にはそれぞれ円形の解除孔３６が設けられている。フレーム３０の全体を収納部屋１１から外に引き出したい場合には、両解除孔３６に指を通してつまみ寄せる。すると、フレーム３０全体が切り欠き部３２の幅が狭まる向きに弾性変形することで、ガイドピン３５は差込口１６から抜け出し可能となる。つまみ寄せをやめると、フレーム３０は元の形に弾性的に復元する。
【００３１】
なお、ガイドレール１５およびガイドピン３５の構造は特に限定されず、例えばガイドレール１５を断面Ｌ字型やチャンネル型、ガイドピン３５を角柱形等にしてもよく、要はガイドピン３５がガイドレール１５に差し込まれて摺動可能に支持されていればよい。
また、ガイドレール１５およびガイドピン３５の位置も、それぞれ収納部屋１１の左右上部、フレーム３０の上端部の左右であるかぎり限定されない。たとえば、ガイドレール１５を収納部屋１１の天井の左右に設け、これに対応してガイドピン３５をフレーム３０の上端から上向きに突出して設けてもよい。この場合、差込口１６は、箱枠１２の上枠および中枠の左右端部に設けられていることは言うまでもない。
差込口１６の構造も特に限定されないが、ガイドピン３５の抜け止め作用を奏するものが好ましい。解除孔３６は適宜省略可能である。
【００３２】
ここで上記各実施形態はいずれも例示であって、これに発明の範囲は限定されない。
本発明の範囲は特許請求の範囲の記載に基づいて定められ、特許請求の範囲に示された内容を限度として、実施形態についてのあらゆる変更が可能であり、その変更可能な形態も当然に本発明に包含されるものとする。
【００３３】
例えばごみ箱本体１０の収納部屋１１の数は特に限定されず、１つでもよいし、４つ以上でもよい。収納部屋の並列方向も特に限定されず、左右方向に並列してもよいし、上下左右方向に格子状に並列してもよい。また、箱枠１２を省略して、ごみ箱本体１１に直接蓋２０を取り付けてもよい。
ごみ箱本体１０は、収納部屋１１を各１つ有するボックスを上下方向等に連結することで形成してもよい。ごみ箱本体１０の形状も、略直方体に限定されず、略立方体、略円筒体、などでもよい。
【００３４】
実施形態では、蓋２０のロック装置として、ケーシング２４とスライダ２５からなるものを例示したが、ロック装置の構造はこれに限定されず、周知のものを用いることができる。
ばね４０の種類、装填位置も限定されず、要はフレーム３０が蓋２０から離れる向きに付勢されればよい。
【００３５】
フレーム３０の、リング３１、切り欠き部３２は適宜省略可能である。また切り欠き部３２を設ける場合にも、フレーム３０の上部ではなく左右部に設けてもよい。
フレーム３０の、収納部屋１１からの抜け止め機構も、フック１３、３３に限定されない。
ホルダ５０のフレーム３０への係止構造もフック５１に限定されない。また、ホルダ５０は、フレーム３０に軸支されてもよいし、まったくの別体としてフレーム３０に脱着させる形式でもよい。逆にホルダ５０をクリップ様のものとして、フレーム３０に一体化させてもよい。
フレーム３０とホルダ５０の嵌合構造は、凹部３４とピン５２に限定されず、これらを入れ替えてもよいし、たとえば凸条と凹条をはめ合わせる形式でもよい。凹部３４とピン５２は適宜省略可能である。
【符号の説明】
【００３６】
１  実施形態のごみ箱
２  従来のごみ箱
１０  ごみ箱本体
１１  収納部屋
１２  箱枠
１３  フック
１４  軸受部
１５  ガイドレール
１６  差込口
２０  蓋
２１  タブ
２２  フランジ
２３  軸受部
２４  ケーシング
２５  スライダ
２６  コイルスプリング
３０  フレーム
３１  リング
３２  切り欠き部
３３  フック
３４  凹部
３５  ガイドピン
３６  解除孔
４０  ばね（トーションスプリング）
５０  ホルダ
５１  フック
５２  ピン
６０  分別箱
Ｂ  ゴミ袋
【図１】
2011073861.tif 000003
【図２】
2011073861.tif 000004
【図３】
2011073861.tif 000005
【図４】
2011073861.tif 000006
【図５】
2011073861.tif 000007
【図６】
2011073861.tif 000008
【図７】
2011073861.tif 000009
【図８】
2011073861.tif 000010
【図９】
2011073861.tif 000011
【図１０】
2011073861.tif 000012
【図１１】
2011073861.tif 000013